(57)【要約】【課題】使用者が室内の汚れ状況を視覚的に認識する事が出来る空気清浄機を提供することを目的とする。【解決手段】室内の空気の汚れを検知する汚れセンサー２と、汚れセンサー２の出力信号により所定の判定周期で汚れレベルの判定を行う汚れレベル判定手段３と、汚れレベルの表示を行う汚れレベル表示部５と、前記汚れレベル判定手段３の判定周期で前記汚れレベル表示部５の汚れレベル表示を更新する汚れレベル表示制御手段４を備えた構成としたことにより、使用者が室内の汚れ状況を視覚的に認識する事が出来る空気清浄機を得られる。【選択図】図１
2010046576.tif 000002
【特許請求の範囲】
【請求項１】
室内の空気の汚れを検知する汚れセンサーと、この汚れセンサーの出力信号により所定の判定周期で汚れレベルの判定を行う汚れレベル判定手段と、汚れレベルの表示を行う汚れレベル表示部と、前記汚れレベル判定手段の判定周期で前記汚れレベル表示部の汚れレベル表示を更新する汚れレベル表示制御手段を備えたことを特徴とする空気清浄機。
【請求項２】
汚れレベル表示制御手段は、汚れレベルに応じて前記汚れレベル表示部の明滅周期を変えることを特徴とする請求項１記載の空気清浄機。
【請求項３】
汚れレベル表示制御手段は、汚れレベルに応じて前記汚れレベル表示部の表示する色を変えることを特徴とする請求項１記載の空気清浄機。
【請求項４】
汚れレベル表示制御手段は、汚れレベルに応じて汚れレベル表示部に複数段階で表示することを特徴とする請求項１記載の空気清浄機。
【請求項５】
汚れレベル表示制御手段は、汚れレベルを判定する周期を変更する機能を備えたことを特徴とする請求項１記載の空気清浄機。
【請求項６】
汚れレベルを判定する設定周期を表示する機能を備えたことを特徴とする請求項５記載の空気清浄機。
【請求項７】
汚れレベル表示制御手段は、汚れレベル表示部への表示出力を有効にするか無効にするかを設定する表示出力設定機能を備えたことを特徴とする請求項１記載の空気清浄機。
【請求項８】
表示出力設定機能は、設定内容を表示する機能を備えたことを特徴とする請求項７記載の空気清浄機。
【請求項９】
汚れレベル表示制御手段は、空気清浄機本体の周辺照度を検出する照度センサーの検出結果に応じて汚れレベル表示部への表示出力を有効にするか無効にするかを判断する表示出力照度判断手段を備え、前記汚れレベル表示部への表示出力を切り替えることを特徴とする請求項１記載の空気清浄機。
【請求項１０】
表示出力照度判断手段は、判断結果を表示する機能を備えたことを特徴とする請求項９記載の空気清浄機。
【請求項１１】
汚れレベル表示制御手段は、空気清浄機本体周辺の人の存在を検知する人感センサーの検知結果に応じて汚れレベル表示部への表示出力を有効にするか無効にするかを判断する表示出力人感判断手段を備え、前記汚れレベル表示部への表示出力を切り替えることを特徴とする請求項１記載の空気清浄機。
【請求項１２】
表示出力人感判断手段は、判断結果を表示する機能を備えたことを特徴とする請求項１１記載の空気清浄機。
【発明の詳細な説明】
【技術分野】
【０００１】
本発明は、室内の汚れ状況を表示する空気清浄機に関する。
【背景技術】
【０００２】
従来、この種の空気清浄機は、室内の汚れを検知する汚れセンサーの汚れレベルに応じて送風ファンの回転数を調整していた。送風ファンの回転の応答性と汚れセンサーの検知の応答性とを比べたときに送風ファンの回転の応答性が悪いことから送風ファンの回転数を変更するタイミングに合わせて汚れレベル表示の更新を行っていた。例えば、特許文献１参照）。
【特許文献１】特開２００５−２３８０６３号公報
【発明の開示】
【発明が解決しようとする課題】
【０００３】
さて昨今、室内の浮遊している花粉やほこりなどの室内の空気環境に対する使用者の関心が高まってきている。室内に浮遊している花粉やほこりなどの汚れは視覚的に直接認識し難いため、このような状況においては空気清浄機の汚れ表示の役割は極めて重要である。
【０００４】
しかしながら、上記従来の空気清浄機方法では、ファンの回転数の応答性に合わせて回転数を変更するタイミングよりも速く汚れレベルが変化している場合には汚れレベルの表示にタイムラグが生じて室内の汚れ状況の把握が出来ず、使用者が室内の汚れ状況をリアルタイムにかつ視覚的に認識することができないという課題があった。
【０００５】
本発明は、このような従来の課題を解決するものであり、使用者が室内の汚れ状況を視覚的に認識することができる空気清浄機を提供することを目的としている。
【課題を解決するための手段】
【０００６】
そして、この目的を達成するために本発明の空気清浄機は、室内の空気の汚れを検知する汚れセンサーと、この汚れセンサーの出力信号により所定の判定周期で汚れレベルの判定を行う汚れレベル判定手段と、汚れレベルの表示を行う汚れレベル表示部と、前記汚れレベル判定手段の判定周期で前記汚れレベル表示部の汚れレベル表示を更新する汚れレベル表示制御手段を備えた構成としたものである。
【０００７】
この手段により、使用者が室内の汚れ状況をリアルタイムにかつ視覚的に認識することができる空気清浄機が得られる。
【０００８】
また、他の手段は、汚れレベル表示制御手段は、汚れレベルに応じて前記汚れレベル表示部の明滅周期を変えることを特徴としたものである。
【０００９】
この手段により、使用者が室内の汚れ状況をリアルタイムにかつ視覚的に認識することができる空気清浄機が得られる。
【００１０】
また、他の手段は、汚れレベル表示制御手段は、汚れレベルに応じて前記汚れレベル表示部の表示する色を変えることを特徴としたものである。
【００１１】
この手段により、使用者が室内の汚れ状況をリアルタイムにかつ視覚的に認識することができる空気清浄機が得られる。
【００１２】
また、他の手段は、汚れレベル表示制御手段は、汚れレベルに応じて前記汚れレベル表示部に複数段階で表示することを特徴としたものである。
【００１３】
この手段により、使用者が室内の汚れ状況をリアルタイムにかつ視覚的に認識することができる空気清浄機が得られる。
【００１４】
また、他の手段は、汚れレベル表示制御手段は、汚れレベルを判定する周期を変更する機能を備えたことを特徴としたものである。
【００１５】
この手段により、使用者に応じた表示更新周期の調整ができることにより視認性の向上が図れた空気清浄機が得られる。
【００１６】
また、他の手段は、汚れレベルを判定する設定周期を表示する機能を備えたことを特徴としたものである。
【００１７】
この手段により、使用者が設定内容を確認する事ができ、周期を調整する時に判断が容易になり使い勝手の向上が図れた空気清浄機が得られる。
【００１８】
また、他の手段は、汚れレベル表示制御手段は、汚れレベル表示部への表示出力を有効にするか無効にするかを設定する表示出力設定機能を備えたことを特徴としたものである。
【００１９】
この手段により、空気清浄機を設置している部屋に使用者が不在の場合や、夜間の就寝中など使用者が不要なときに無効設定に変更し表示を消灯することにより省エネ向上が図れた空気清浄機が得られる。
【００２０】
また、他の手段は、表示出力設定機能は、設定内容を表示する機能を備えた事を特徴としたものである。
【００２１】
この手段により、使用者が設定内容を確認する事ができ、誤操作防止を図ることができ使い勝手の良い空気清浄機が得られる。
【００２２】
また、他の手段は、汚れレベル表示制御手段は、空気清浄機本体の周辺照度を検出する照度センサーの検出結果に応じて汚れレベル表示部への表示出力を有効にするか無効にするかを判断する表示出力照度判断手段を備え、前記汚れレベル表示部への表示出力を切り替えることを特徴としたものである。
【００２３】
この手段により、夜間の就寝中など使用者が不要なときに自動で表示を消灯することにより使い勝手と省エネの向上が図かれた空気清浄機が得られる。
【００２４】
また、他の手段は、表示出力照度判断手段は、判断結果を表示する機能を備えたことを特徴としたものである。
【００２５】
この手段により、使用者が判断結果を確認することができ、誤操作防止を図ることができ使い勝手の良い空気清浄機が得られる。
【００２６】
また、他の手段は、汚れレベル表示制御手段は、空気清浄機本体周辺の人の存在を検知する人感センサーの検知結果に応じて汚れレベル表示部への表示出力を有効にするか無効にするかを判断する表示出力人感判断手段を備え、前記汚れレベル表示部への表示出力を切り替えることを特徴としたものである。
【００２７】
この手段により、空気清浄機を設置している部屋に使用者が不在の場合など、使用者が不要なときに無効設定に自動で変更し表示を消灯することにより省エネ向上の向上を図った空気清浄機が得られる。
【００２８】
また、他の手段は、表示出力人感判断手段は、判断結果を表示する機能を備えたことを特徴としたものである。
【００２９】
この手段により、使用者が判断結果を確認する事ができ、誤操作防止を図ることができ使い勝手の良い空気清浄機が得られる。
【発明の効果】
【００３０】
本発明によれば、使用者が室内の汚れ状況をリアルタイムにかつ視覚的に認識することができる空気清浄機を提供できる。
【発明を実施するための最良の形態】
【００３１】
本発明の請求項１記載の発明は、室内の空気の汚れを検知する汚れセンサーと、この汚れセンサーの出力信号により所定の判定周期で汚れレベルの判定を行う汚れレベル判定手段と、汚れレベルの表示を行う汚れレベル表示部と、前記汚れレベル判定手段の判定周期で前記汚れレベル表示部の汚れレベル表示を更新する汚れレベル表示制御手段を備えた構成としたものであり、汚れレベル表示制御手段が汚れを判定した周期に合わせて汚れレベル表示の更新をして汚れレベルを表示汚れレベル表示部に表示する作用を有する。
【００３２】
また、請求項２記載の発明は、汚れレベル表示制御手段は、汚れレベルに応じて前記汚れレベル表示部の明滅周期を変えることを特徴としたものであり、汚れレベル表示制御手段により汚れレベルに応じた明減周期で汚れレベルを表示汚れレベル表示部に表示するという作用を有する。
【００３３】
また、請求項３記載の発明は、汚れレベル表示制御手段は、汚れレベルに応じて前記汚れレベル表示部の表示する色を変えることを特徴としたものであり、汚れレベル表示制御手段により汚れレベルに応じた色で汚れレベルを表示汚れレベル表示部に表示するという作用を有する。
【００３４】
また、請求項４記載の発明は、汚れレベル表示制御手段は、汚れレベルに応じて前記汚れレベル表示部に複数段階で表示することを特徴としたものであり、汚れレベル表示制御手段により汚れレベルに応じた段階で汚れレベルを表示汚れレベル表示部に表示するという作用を有する。
【００３５】
また、請求項５記載の発明は、汚れレベル表示制御手段は、汚れレベルを判定する周期を変更する機能を備えたことを特徴としたものであり、使用者に応じた表示更新周期の調整して汚れレベル表示部の汚れレベルを更新するという作用を有する。
【００３６】
また、請求項６記載の発明は、汚れレベルを判定する設定周期を表示する機能を備えたことを特徴としたものであり、設定周期の調整は、使用者が表示された設定周期を確認しながら行うという作用を有する。
【００３７】
また、請求項７記載の発明は、汚れレベル表示制御手段は、汚れレベル表示部への表示出力を有効にするか無効にするかを設定する表示出力設定機能を備えたことを特徴としたものであり、表示出力設定機能により汚れレベル表示部への表示出力を有効または無効に設定するという作用を有する。
【００３８】
また、請求項８記載の発明は、表示出力設定機能は、設定内容を表示する機能を備えたことを特徴としたものであり、設定内容を表示する機能により、汚れレベル表示部の表示出力の有効、無効の設定を表示するという作用を有する。
【００３９】
また、請求項９記載の発明は、汚れレベル表示制御手段は、空気清浄機本体の周辺照度を検出する照度センサーの検出結果に応じて汚れレベル表示部への表示出力を有効にするか無効にするかを判断する表示出力照度判断手段を備え、前記汚れレベル表示部への表示出力を切り替えることを特徴としたものであり、汚れレベル表示部への表示出力を切り替えることにより夜間の就寝中など使用者が不要なときに自動で表示を消灯するという作用を有する。
【００４０】
また、請求項１０記載の発明は、表示出力照度判断手段は、判断結果を表示する機能を備えたことを特徴としたものであり、使用者は、表示された判定結果を確認することができるという作用を有する。
【００４１】
また、請求項１１記載の発明は、汚れレベル表示制御手段は、空気清浄機本体周辺の人の存在を検知する人感センサーの検知結果に応じて汚れレベル表示部への表示出力を有効にするか無効にするかを判断する表示出力人感判断手段を備え、前記汚れレベル表示部への表示出力を切り替えることを特徴としたものであり、人感センサーで使用者の存在を検知して表示出力人感判断手段により使用者が不在の場合に表示を消灯するという作用を有する。
【００４２】
また、請求項１２記載の発明は、表示出力人感判断手段は、判断結果を表示する機能を備えたことを特徴としたものであり、汚れレベル表示部への表示出力を有効にするか無効にするかの判断結果を表示し使用者が確認できるという作用を有する。
【００４３】
以下、本発明の実施の形態について図面を参照しながら説明する。
【００４４】
（実施の形態１）
図１は本発明の実施の形態１を示す空気清浄機のブロック図である。
【００４５】
本発明の実施の形態１を示す空気清浄機は、制御装置１に、室内の汚れを検出する汚れセンサー２が接続され、制御装置１は、汚れセンサー２が検出した検出信号に基づいて所定の判定周期で室内の汚れレベルを判定する汚れレベル判定手段３と、汚れレベル判定手段３の判定周期で汚れレベルの表示を更新する汚れレベル表示制御手段４を有する。また、汚れレベル表示制御手段４が出力した信号で汚れレベルを表示する汚れレベル表示部５を有する。さらに汚れレベルの判定周期を設定するスイッチや汚れレベルの判定周期の設定内容を表示するＬＥＤや汚れレベル表示部５への表示出力の有効か無効かを設定するスイッチや汚れレベル表示部５への表示出力の有効か無効かの設定内容を表示するＬＥＤからなる操作表示部６を有している。
【００４６】
ここで制御装置１は、図示しないがマイコン（マイクロコンピュータ）と入出力のインタフェースのためのトランジスタ等の電子部品で構成されている。
【００４７】
また、汚れセンサー２として、例えば検出した埃粒子の量に応じて電気的なパルス信号を出力するセンサーが用いられる。
【００４８】
また、汚れレベル表示部５として、室内の汚れレベルを使用者へ報知するためにＬＥＤが用いられる。
【００４９】
図２は汚れレベル判定手段３と汚れレベル表示制御手段４の動作を示すフローチャートである。
【００５０】
ステップ１（以下ステップをＳと略記）において、汚れセンサー２から出力された電気信号を読み込みパルス数の検出を行う。
【００５１】
Ｓ２において、汚れレベルの判定周期が経過したかの判断を行う。ここで判定周期は、汚れセンサー２の出力パルス幅と判定周期の時間内で検出したパルス数が複数の汚れレベルを識別可能な時間を考慮し、例えば２秒とする。
【００５２】
Ｓ３において、Ｓ２にて判定周期経過時にＳ１の読み込み結果を基に汚れレベルの判定を行う。また、汚れレベルの判定については後述する。
【００５３】
Ｓ４において、Ｓ３の汚れレベルの判定結果に基づき汚れレベルの表示出力を更新する。また、汚れレベルの表示出力については後述する。
【００５４】
図３は汚れレベル判定手段３において汚れレベルの判定周期を２秒とした場合の汚れレベルの判定を行うときに使用する汚れセンサー検出パルス数と汚れレベルの対応表である。
【００５５】
汚れレベルの判定周期の時間内で検出した汚れセンサー検出パルス数が２未満の場合は汚れレベルを０とし、汚れセンサー検出パルス数が２以上３未満の場合は汚れレベルを１とし、汚れセンサー検出パルス数が３以上４未満の場合は汚れレベルを２とし、汚れセンサー検出パルス数が４以上５未満の場合は汚れレベルを３とし、汚れセンサー検出パルス数が５以上６未満の場合は汚れレベルを４とし、汚れセンサー検出パルス数が６以上の場合は汚れレベルを５とする。
【００５６】
ここで汚れセンサー検出パルス数と汚れレベルの対応表は、制御装置１のマイコン（マイクロコンピュータ）のＲＯＭ領域に予め記憶させるものとする。
【００５７】
図４は汚れレベル表示制御手段４において、汚れレベルの表示手段として汚れレベルに応じて汚れレベル表示部５のＬＥＤ明滅周期を変えるときに使用する汚れレベルと明滅周期の対応表である。
【００５８】
汚れレベルが０の場合は消灯とし、汚れレベル１の場合は明滅周期を１Ｈｚとし、汚れレベル２の場合は明滅周期を１．５Ｈｚとし、汚れレベル３の場合は明滅周期を２Ｈｚとし、汚れレベル４の場合は明滅周期を２．５Ｈｚとし、汚れレベル５の場合は明滅周期を３Ｈｚとする。
【００５９】
ここで汚れレベルと明滅周期の対応表は、制御装置１のマイコン（マイクロコンピュータ）のＲＯＭ領域に予め記憶させるものとする。
【００６０】
また、汚れレベル表示部５のＬＥＤを明滅させる手段として、制御装置１のマイコン（マイクロコンピュータ）がＬＥＤへ出力するＯＮとＯＦＦの電気信号を指定周期で切り換えるものとする。
【００６１】
図５は汚れレベル表示制御手段４において、汚れレベルの表示手段として汚れレベルに応じて汚れレベル表示部５の表示するＬＥＤを変えるときに使用する汚れレベルと点灯ＬＥＤ色の対応表である。
【００６２】
汚れレベルが０の場合は消灯とし、汚れレベルが１の場合は点灯ＬＥＤを青色とし、汚れレベルが２の場合は点灯ＬＥＤを黄色とし、汚れレベルが３の場合は点灯ＬＥＤを紫色とし、汚れレベルが４の場合は点灯ＬＥＤを橙色とし、汚れレベルが５の場合は点灯ＬＥＤを赤色とする。
【００６３】
ここで汚れレベルと点灯ＬＥＤ色の対応表は、制御装置１のマイコン（マイクロコンピュータ）のＲＯＭ領域に予め記憶させるものとする。
【００６４】
また、汚れレベル表示部５のＬＥＤの色を指定する手段として、汚れレベル表示部５の各色のＬＥＤと制御装置１のマイコン（マイクロコンピュータ）を接続し、制御装置１のマイコン（マイクロコンピュータ）が点灯する色のＬＥＤの出力信号をＯＮするものとする。
【００６５】
図６は汚れレベル表示制御手段４において、汚れレベルの表示手段として汚れレベルに応じて汚れレベル表示部５の表示するＬＥＤの数を変えるときに使用する汚れレベルと点灯ＬＥＤ数の対応表である。
【００６６】
汚れレベル０の場合は消灯とし、汚れレベルが１の場合は点灯ＬＥＤ数は１個とし、汚れレベルが２の場合は点灯ＬＥＤ数は２個とし、汚れレベルが３の場合は点灯ＬＥＤ数は３個とし、汚れレベルが４の場合は点灯ＬＥＤ数は４個とし、汚れレベルが５の場合は点灯ＬＥＤ数は５個とする。
【００６７】
ここで汚れレベルと点灯ＬＥＤ数の対応表は、制御装置１のマイコン（マイクロコンピュータ）のＲＯＭ領域に予め記憶させるものとする。
【００６８】
また、汚れレベル表示部５のＬＥＤの数を指定する手段として、汚れレベル表示部５の各ＬＥＤと制御装置１のマイコン（マイクロコンピュータ）を接続し、制御装置１のマイコン（マイクロコンピュータ）が点灯するＬＥＤの出力信号をＯＮするものとする。
【００６９】
図７は汚れレベル表示制御手段４において、汚れレベルを判定する周期を変更する手段と汚れレベルを判定する設定周期を表示する手段と汚れレベル表示制御手段４において、汚れレベル表示部５への表示出力を有効にするか無効にするかを設定する手段と設定内容を表示する手段を有する操作表示部６を示した図である。
【００７０】
汚れレベルを判定する周期が１秒の場合はＬＥＤ７ａが点灯し、汚れレベルを判定する周期が２秒の場合はＬＥＤ７ｂが点灯し、汚れレベルを判定する周期が３秒の場合はＬＥＤ７ｃが点灯し、汚れレベルを判定する周期が４秒の場合はＬＥＤ７ｄが点灯する。また、スイッチ８ａを押す度に汚れレベルの判定周期を１秒⇒２秒⇒３秒⇒４秒⇒１秒⇒・・・の順に変更するものとする。また、変更した判定周期は、図２のフローチャートのＳ２で判定する判定周期とするものとする。また、図３の汚れセンサー検出パルス数と汚れレベルの対応表における汚れセンサー検出パルス数は、判定周期２秒に対して変更した判定周期の倍数分を乗算した値を使用するものとする。
【００７１】
また、ＬＥＤ７ｅは、汚れレベル表示部５への表示出力が有効の場合に点灯し、無効の場合に消灯する。また、スイッチ８ｂを押す度に汚れレベル表示部５への表示出力を有効⇒無効⇒有効⇒・・・の順に変更するものとする。
【００７２】
以上の構成により、使用者は、室内の汚れ状況を汚れレベルの判定周期毎で視覚的に複数レベルで認識することが可能となり、室内の汚れ状況をより正確にかつリアルタイムに把握することができる。
【００７３】
また、使用者は、汚れレベル表示部５に表示される汚れベルの更新周期を変更することにより、使用者に応じた視認性を向上させることができる。
【００７４】
また、使用者は、汚れレベル表示部５への表示出力を有効にするか無効にするかを設定できることにより、空気清浄機を設置している部屋に使用者が不在の場合や、夜間の就寝中など使用者が不要なときに無効設定に変更し表示を消灯することにより省エネ向上が図れる。
【００７５】
以上の図２〜図７で説明した動作は、制御装置１の前述のマイコンにおいて、ＲＯＭやＲＡＭやカウンターなどが共働するマイコンのプログラムの形態で実施される。
【００７６】
なお、本実施の形態において、汚れレベル表示部５と操作表示部６でＬＥＤを用いたが、液晶表示器を用いてもよい。
【００７７】
（実施の形態２）
図８は本発明の実施の形態２を示す空気清浄機のブロック図である。
【００７８】
図８において、実施の形態１と異なるところは、制御装置１に接続するセンサーを空気清浄機本体周辺の照度を検出する照度センサー９を設けた点と、照度センサー９の検出結果に応じて汚れレベル表示部５への表示出力の有効か無効を判断した結果を表示するＬＥＤからなる照度判断表示部１０を設けた点である。
【００７９】
図８において、実施の形態１と同様の構成は同一符号を用いてその説明を省略する。
【００８０】
図９は汚れレベル表示制御手段４において、照度センサー９の検出結果に応じて汚れレベル表示部５への表示出力を有効にするか無効にするかを判断する手段の動作を示すフローチャートである。
【００８１】
Ｓ１１において、照度センサー９の値の読み込みを行う。
【００８２】
Ｓ１２において、Ｓ１１で照度センサー９の値の読み込んだ結果から明るいか暗いかの判断を行う。
【００８３】
Ｓ１３において、Ｓ１２で明るいと判断した場合に汚れレベル表示部５への表示出力を有効とする。
【００８４】
Ｓ１４において、Ｓ１２で暗いと判断した場合に汚れレベル表示部５への表示出力を無効とする。
【００８５】
照度判断表示部１０に設けた照度判断表示ＬＥＤ１１（図示せず）は、汚れレベル表示部５への表示出力が有効と判断した場合に点灯し、汚れレベル表示部５への表示出力が無効と判断した場合に消灯するものとする。
【００８６】
以上の構成により、空気清浄機の本体周辺が明るいときは汚れレベル表示部５の表示が点灯し、空気清浄機の本体周辺が暗いときは、汚れレベル表示部５の表示が消灯することとなり、夜間の就寝中など使用者が不要なときに使用者が介在することなく自動で表示を消灯することにより使い勝手と省エネ向上が図れる。
【００８７】
（実施の形態３）
図１０は本発明の実施の形態３を示す空気清浄機のブロック図である。
【００８８】
図１０において、実施の形態１と異なるところは、制御装置１に接続するセンサーを空気清浄機本体近辺の人の存在を検出する人感センサー１２を設けた点と、人感センサー１２の検出結果に応じて汚れレベル表示部５への表示出力の有効か無効を判断した結果を表示するＬＥＤからなる人感判断表示部１３を設けた点である。
【００８９】
図１０において、実施の形態１と同様の構成は同一符号を用いてその説明を省略する。
【００９０】
図１１は汚れレベル表示制御手段４において、人感センサー１２の検出結果に応じて汚れレベル表示部５への表示出力を有効にするか無効にするかを判断する手段の動作を示すフローチャートである。
【００９１】
Ｓ３１において、人感センサー１２の値の読み込みを行う。
【００９２】
Ｓ３２において、Ｓ３１で人感センサー１２の値の読み込んだ結果から人感があるかの判断を行う。
【００９３】
Ｓ３３において、Ｓ３２で人感ありと判断した場合に汚れレベル表示部５への表示出力を有効とする。
【００９４】
Ｓ３４において、Ｓ３２で人感なしと判断した場合に汚れレベル表示部５への表示出力を無効とする。
【００９５】
人感判断表示部１３にも受けた人感判断表示ＬＥＤ１４（図示せず）は、汚れレベル表示部５への表示出力が有効と判断した場合に点灯し、汚れレベル表示部５への表示出力が無効と判断した場合に消灯するものとする。
【００９６】
以上の構成により、空気清浄機の本体周辺に人が存在するときは汚れレベル表示部５の表示が点灯し、空気清浄機の本体周辺に人が存在しないときは、汚れレベル表示部５の表示が消灯することとなり、空気清浄機を設置している部屋に使用者が不在の場合など、使用者が不要なときに無効設定に自動で変更し表示を消灯することにより省エネ向上が図れる。
【産業上の利用可能性】
【００９７】
本発明の汚れレベルの判定周期で汚れレベル表示を更新する技術は、室内の汚れ状況を視覚的に認識出来るので、汚れセンサーを備えた家庭用の空気調和機や除湿機や加湿機にも適用できる。
【図面の簡単な説明】
【００９８】
【図１】本発明の実施の形態１の空気清浄機のブロック図
【図２】同空気清浄機の汚れレベル判定手段と汚れレベル表示制御手段の動作を示すフローチャート
【図３】同空気清浄機の汚れレベル判定手段において汚れレベルの判定周期を２秒とした場合の汚れレベルの判定を行うときに使用する汚れセンサー検出パルス数と汚れレベルの対応を示す図
【図４】同空気清浄機の汚れレベル表示制御手段において、汚れレベルの表示手段として汚れレベルに応じて汚れレベル表示部の表示するＬＥＤを変えるときに使用する汚れレベルと点灯ＬＥＤ色の対応を示す図
【図５】同空気清浄機の汚れレベル表示制御手段において、汚れレベルの表示手段として汚れレベルに応じて汚れレベル表示部の表示するＬＥＤを変えるときに使用する汚れレベルと点灯ＬＥＤ色の対応を示す図
【図６】同空気清浄機の汚れレベル表示制御手段において、汚れレベルの表示手段として汚れレベルに応じて汚れレベル表示部の表示するＬＥＤの数を変えるときに使用する汚れレベルと点灯ＬＥＤ数の対応を示す図
【図７】同空気清浄機の操作表示部を示す図
【図８】本発明の実施の形態２の空気清浄機のブロック図
【図９】同空気清浄機の汚れレベル表示制御手段において、照度センサーの検出結果に応じて汚れレベル表示部への表示出力を有効にするか無効にするかを判断する手段の動作を示すフローチャート
【図１０】本発明の実施の形態３の空気清浄機のブロック図
【図１１】同空気清浄機の汚れレベル表示制御手段において、人感センサーの検出結果に応じて汚れレベル表示部への表示出力を有効にするか無効にするかを判断する手段の動作を示すフローチャート
【符号の説明】
【００９９】
１    制御装置
２    汚れセンサー
３    汚れレベル判定手段
４    汚れレベル表示制御手段
５    汚れレベル表示部
６    操作表示部
７ａ〜７ｅ  ＬＥＤ
８ａ〜８ｂ  スイッチ
９    照度センサー
１０  照度判断表示部
１１  照度判断表示ＬＥＤ
１２  人感センサー
１３  人感判断表示部
１４  人感判断表示ＬＥＤ
【図１】
2010046576.tif 000003
【図２】
2010046576.tif 000004
【図３】
2010046576.tif 000005
【図４】
2010046576.tif 000006
【図５】
2010046576.tif 000007
【図６】
2010046576.tif 000008
【図７】
2010046576.tif 000009
【図８】
2010046576.tif 000010
【図９】
2010046576.tif 000011
【図１０】
2010046576.tif 000012
【図１１】
2010046576.tif 000013